(57)【要約】      （修正有）【課題】少なくとも部分的に天井に覆われたデッキの外側に物資を降ろすためのプラットフォームを設置するための装置を提供する。【解決手段】装置１は、デッキの外側に延びるように構成されたプラットフォーム２０と、プラットフォーム２０に接続するフロアセクション１０であって、建物のデッキ上に配置されるように適合されたフロアセクション１０と、を備える水平フレームを備え、装置１は、一端部において水平フレームに接続された１つ以上の調節可能な支持体３０であって、水平フレームから実質的に垂直に延びるとともに、長さが調節されることで天井に当接することによりフロアセクション１０をデッキに押し付けるように構成される調節可能な支持体３０をさらに備える。【選択図】図１
0003232967.tif 000002
【実用新案登録請求の範囲】
【請求項１】
建物のデッキ（２）であって、少なくとも部分的に天井（３）に覆われたデッキ（２）の外側に物資を降ろすためのプラットフォームを設置するための装置（１）において、前記装置（１）は、
前記デッキ（２）上に部分的に配置されるように構成された、長辺（Ｌ）を有する矩形の水平フレーム（５）であって、前記デッキ（２）の外側に延びるように構成されたプラットフォームセクション（２０）と、前記建物の前記デッキ（２）上に配置されるように適合されたフロアセクション（１０）と、を備える水平フレーム（５）と、
４つの調節可能な支持体（３０）であって、それぞれが一端部において前記フロアセクション（１０）上の前記水平フレーム（５）の１つの長辺（Ｌ）に接続するか、または近接するとともに、前記水平フレーム（５）から実質的に垂直に延び、長さが調節されることで前記天井（３）に当接することにより前記フロアセクション（１０）を前記デッキ（２）に押し付けるように構成された、調節可能な支持体（３０）と、
２つの細長張力支持部（４０）であって、それぞれが前記プラットフォームセクション（２０）上の固定点（２１）から前記フロアセクション（１０）上の他の固定点（１２）に、前記調節可能な支持体（３０）のうちの、前記プラットフォームセクション（２０）に最も近い前記調節可能な支持体（３０）における固定点（３０．１）を介して張った状態で伸びる細長張力支持部（４０）と、
を備え、
前記細長張力支持部（４０）は、水平面で見て前記水平フレーム（５）の長辺（Ｌ）に対して平行であるとともに、前記水平フレーム（５）の辺（Ｌ）とともに、前記固定点のそれぞれに角部を有する三角形を形成する、
装置。
【請求項２】
前記細長張力支持部（４０）は、
一端部において前記プラットフォーム（２０）に接続するように構成された第１ケーブル（４３）と、
一端部において前記フロアセクション（１０）に接続するように構成された第２ケーブル（４４）と、
前記第１ケーブル（４３）および第２ケーブル（４４）の第２の端部に接続するように構成された前記調節可能な支持体（３０）上の固定点（３０．１）と、
前記第１ケーブル（４３）および第２ケーブル（４４）を張った状態にするように構成された張力機構（４１）と、
を備える、
請求項１に記載の装置。
【請求項３】
前記張力機構は、ケーブル（４３、４４）のそれぞれに設けられたターンバックルである、
請求項２に記載の装置。
【請求項４】
前記調節可能な支持体（３０）は、細長外側部品（３２）と細長内側部品（３１）とを備え、内側部品（３１）は、外側部品（３２）に対して伸縮自在に摺動して前記外側部品（３２）から出没するように構成され、
前記調節可能な支持体（３０）は、ジャッキ装置（３４）をさらに備え、
前記ジャッキ装置（３４）は、
少なくとも１つの長手方向スリット（３６）を有するねじ切り加工されたジャッキスリーブ（３５）であって、前記内側部品（３１）上を摺動可能であるように構成されたジャッキスリーブ（３５）と、
前記ジャッキスリーブに螺合するジャッキナット（３８）と、
前記長手方向スリット（３６）を貫通するとともに、前記内側部品（３１）の孔（３７）に挿入されるように構成されたジャッキボルト（３９）と、を備え、
前記ジャッキスリーブ（３５）は、前記外側部品（３２）の頂部に接するように構成されており、前記ジャッキナット（３８）が前記ジャッキボルト（３９）を押すように締められたとき、前記調節可能な支持体（３０）を延長する、
請求項１乃至３のいずれかに記載の装置。
【請求項５】
前記水平フレーム（５）は、前記プラットフォームセクション（２０）と前記フロアセクション（１０）との間で物資（４）を移送するためのローラコンベヤ（１１）を備える、
請求項１乃至４のいずれかに記載の装置。
【考案の詳細な説明】
【技術分野】
【０００１】
本考案は、建物のデッキの外側に物資を降ろすためのプラットフォームを設置するための装置に関する。デッキは少なくとも部分的に天井に覆われている。
【背景技術】
【０００２】
複数のフロアを有する建物の建設において、物流（ロジスティクス）は大きな課題である。資材が必要とされるフロアに大量の建築資材を届けることは困難であるとともに、時間がかかり得る。建材を配送する最も好ましい方法は、建材を配送トラックからクレーンにより直接持ち上げて、必要な場所に降ろすことである。特に、地上レベルから数階上方で材料が必要とされるが、その場所に材料を直接持ち上げることができない場合、資材を目的の場所に届けるには多大な量力を伴い得る。
【０００３】
建物の耐荷重構造体および水平分割体（フロア）が完了した後であって、外壁が設置される前には、建物の内装を開始したり内面を完成させるように、敷桁、タイル、床板の梱包物やセメントの袋等の大量の建築物資を届けることが多い。このとき、建築資材等の物資を届けることは困難である。なぜならば、物資の多くは建物の２つの水平分割体の間で必要とされるため、クレーンのワイヤまたはクレーンそのものが建物の水平分割体と干渉し得るからである。したがって、クレーンのオペレータは材料を安全に目的のフロアに降ろすことができない。したがって、建物の水平分割体の間において、クレーンにより配送される物資を安全に受け取れるようにする解決策が必要とされている。
【０００４】
上方に別のフロアがあるフロアに物資を降ろして移送するために利用可能な装置やシステムが存在している。特許ＥＰ２２４６２８８（Ｂ１）において、物資を外壁の開口を介して移送する解決策が記載されている。しかしながら、ＥＰ２２４６２８８（Ｂ１）の解決策は、外壁がない場合には機能しない。
【０００５】
外壁が設置されていない場合に利用可能な他の解決策を利用することができる。これは、降下プラットフォームと称されることが多い。この解決策は、クレーンで所定位置に持ち上げなければならない大型で重い構造物であり、所定位置に配置するには多大な計画および労力の両方が必要である。それらは特に敏捷に移動させにくく、物資が同一フロアの異なる場所で必要な場合に簡単に移動させることができない。
【考案の概要】
【考案が解決しようとする課題】
【０００６】
本考案は、以下の目的のうちの１つ以上を達成する助けとなることを意図している。
【０００７】
本考案の１つの目的は、降下プラットフォームを設置するための装置を提供することである。
【０００８】
本考案の他の目的は、建物の建設中に、建築資材等の物資を建物のフロアに降ろすために使用可能な降下プラットフォームを設置するための装置を提供することである。
【０００９】
本考案の他の目的は、天井下の建物のフロアに物資を移送するための解決策を提供することである。
【００１０】
本考案の他の目的は、建物のフロアから外側に延びる降下プラットフォームを設置するための持ち運び可能な装置を提供することである。
【００１１】
本考案の他の目的は、物資用の降下プラットフォームを設置するための軽量且つ持ち運び可能な装置であって、降下プラットフォームが天井の下方のフロアのデッキから外側に延び得る装置を提供することである。
【００１２】
本考案の他の目的は、物資用の降下プラットフォームを設置するための装置であって、降下プラットフォームが天井下の建物のデッキから外側に延びる装置を提供することである。本装置は、昇降装置や足場とはみなされない。
【００１３】
他の目的は、ユーロパレット（euro pallet）上で簡単に分解および梱包することができる、上述の目的のうちの１つ以上を達成する装置を提供することである。
【課題を解決するための手段】
【００１４】
一態様において、本考案は、建物のデッキであって、少なくとも部分的に天井に覆われたデッキの外側に物資を降ろすためのプラットフォームを設置するための装置に関する。装置は、
前記デッキ上に部分的に配置されるように構成された、長辺を有する矩形の水平フレームであって、前記デッキの外側に延びるように構成されたプラットフォームセクションと、前記建物の前記デッキ上に配置されるように適合されたフロアセクションと、を備える水平フレームと、
４つの調節可能な支持体であって、それぞれが一端部において前記フロアセクション上の前記水平フレームの１つの長辺に接続するか、または近接するとともに、前記水平フレームから実質的に垂直に延び、長さが調節されることで前記天井に当接することにより前記フロアセクションを前記デッキに押し付けるように構成された、調節可能な支持体と、
２つの細長張力支持部であって、それぞれが前記プラットフォームセクション上の固定点から前記フロアセクション上の他の固定点に、前記調節可能な支持体のうちの、前記プラットフォームセクションに最も近い前記調節可能な支持体における固定点を介して張った状態で伸びる細長張力支持部と、
を備え、
前記細長張力支持部は、水平面で見て前記水平フレームの長辺に対して平行であるとともに、前記水平フレームの辺とともに、前記固定点のそれぞれに角部を有する三角形を形成する。
【００１５】
前記細長張力支持部は、
一端部において前記プラットフォームに接続するように構成された第１ケーブルと、
一端部において前記フロアセクションに接続するように構成された第２ケーブルと、
前記第１ケーブルおよび第２ケーブルの第２の端部に接続するように構成された前記調節可能な支持体上の固定点と、
前記第１ケーブルおよび第２ケーブルを張った状態にするように構成された張力機構と、
を備え得る。
【００１６】
前記張力機構は、ケーブルのそれぞれに設けられたターンバックルであり得る。
【００１７】
前記調節可能な支持体は、細長外側部品と細長内側部品とを備え得る。内側部品は、外側部品に対して伸縮自在に摺動して前記外側部品から出没するように構成され得る。前記調節可能な支持体は、ジャッキ装置をさらに備え得る。前記ジャッキ装置は、
少なくとも１つの長手方向スリットを有するねじ切り加工されたジャッキスリーブであって、前記内側部品上を摺動可能であるように構成され得るジャッキスリーブと、
前記ジャッキスリーブに螺合し得るジャッキナットと、
前記長手方向スリットを貫通するとともに、前記内側部品の孔に挿入されるように構成され得るジャッキボルトと、を備え得る。
前記ジャッキスリーブは、前記外側部品の頂部に接するように構成され得て、前記ジャッキナットが前記ジャッキボルトを押すように締められたとき、前記調節可能な支持体を延長し得る。
【００１８】
前記水平フレームは、前記プラットフォームセクションと前記フロアセクションとの間で物資を移送するためのローラコンベヤを備え得る。
【００１９】
本考案の実施形態を、例示のみを目的として、以下の図面を参照しつつ説明する。
【図面の簡単な説明】
【００２０】
【図１】図１は、本考案の好適な実施形態を示す斜視図である。
【図２】図２は、本考案の同一の実施形態を示す側面図である。
【図３】図３は、本考案の同一の実施形態を示す他の側面図である。
【図４】図４は、本考案の同一の実施形態を示す上面図である。
【図５】図５は、建設中の建物で使用中の同一の実施形態を示す側面図である。
【図６】図６は、建設中の建物で使用されている、本考案の同一の実施形態を示す斜視図である。
【図７】図７は、調節可能な支持体上の張力機構およびジャッキ装置の実施形態を示す詳細図である。
【考案を実施するための形態】
【００２１】
装置１は、水平フレーム５と、少なくとも１つの調節可能な支持体３０と、を備えている。水平フレーム５は、デッキ２から外方に延びるように構成されたプラットフォーム／プラットフォームセクション２０と、建物のデッキ２に設置されるように構成されたフロアセクション１０と、を備えている。積載物４がプラットフォーム２０上に載置されているときに、水平フレーム５が転倒し、デッキ２の縁部から落下することがないように、調節可能な支持体３０を使用して、水平フレーム５をデッキ２と天井３との間で固定する。換言すれば、調節可能な支持体３０は、プラットフォーム２０に載置された積載物４により生じるモーメントに対抗する。
【００２２】
水平フレーム５は、好適には、金属プロフィール（metal profiles）から構成されるフレームであるが、金属または他の材料のプレートを含んでもよい。
【００２３】
図１乃至図７に示すような好適な実施形態において、装置１は、４つの調節可能な支持体３０を備えている。水平フレーム５は、上面視において、長辺Ｌを有する矩形形状を有している。長辺Ｌは、矩形の水平フレーム１０の最長辺の長さである。４つの支持体３０のうちの２つが、プラットフォーム２０から最も離れた２つの角部において水平フレーム１０に接続されている。調節可能な支持体の他の２つは、図１に示すように、矩形の水平フレーム５の最長辺のほぼ中央において、各長辺に１つずつ、最長辺に沿って水平フレーム５に接続されている。調節可能な支持体は、水平フレーム５から実質的に垂直に上方に延びている。
【００２４】
調節可能な支持体３０の実施形態について説明する。調節可能な支持体は、伸縮自在であり、外側部品３２の内部で摺動する内側部品３１を備えている。内側部品３１は、ボルトまたはスプリント用の孔３７を有している。天井３に当接させるための天井支持脚３３が、調節可能な支持体３０の端部に取り付けられている。内側部品３１は、天井支持脚３３が天井３に近接するまで外側部品３２から引き出され得る。そして、内側部品が外側部品３２内に摺動して入り込むことがないように、ボルトが孔３７のうちの１つに挿入され得る。次いで、ジャッキ装置３４が、ボルトを押すことにより内側部品３１を外側部品３２から強制的にさらに延出させるために使用されることができ、これにより、調節可能な支持体３０を延長することができる。そして、天井支持脚３３が天井３に当接する。
【００２５】
図７に示すように、ジャッキ装置３４は、雄ねじおよび２つの長手方向スリット３６を有するねじ切り加工されたジャッキスリーブ３５と、ジャッキナット３８と、ジャッキボルト３９と、を備えている。内側部品３１は、ねじ切り加工されたジャッキスリーブ３５を貫通している。ねじ切り加工されたジャッキスリーブ３５は、内側部品３１上を摺動可能である。ジャッキナット３８は、ジャッキスリーブ３５に螺合している。ジャッキボルト３９は、内側部品３１の孔３７に、ねじ切り加工されたジャッキスリーブ３５の長手方向スリット３６を介して挿入される。ジャッキボルト３９が孔３７に挿入されると、ジャッキナット３８は、外側部品３２とジャッキボルト３９との間に位置する。ジャッキナット３８を締めることにより、この位置において、ジャッキボルト３９を外側部品から強制的に離間させることができる。ジャッキナット３８が締められると、ジャッキボルト３９を押して外側部品３２から離間させ、ジャッキボルト３９が挿入されている内側部品３１は、外側部品３２から延出するように移動し、これにより調節可能な支持体３０を延長する。
【００２６】
装置１の構造をさらに強化し、プラットフォーム２０の耐荷重能力を向上させるために、複数の細長張力支持部４０が使用され得る。細長張力支持部のそれぞれは、その一端部においてプラットフォームセクション２０上の固定点２１に接続され、他の端部においてフロアセクション１０上の固定点１２に接続されるとともに、調節可能な支持体３０のうちの１つにおける固定点３０．１を通過して延びている。細長張力支持部４０は、好適には、ケーブル４３、４４、またはワイヤを備え得るが、金属ロッドや同様のものを使用してもよい。細長張力支持部４０は、好適な実施形態において、第１ケーブル４３を備えている。第１ケーブル４３は、一端部においてプラットフォームセクション２０の固定点２１に接続されているとともに、他端部において調節可能な支持体３０上の固定点３０．１に接続されている。細長張力支持部４０は、第２ケーブル４４をさらに備えている。第２ケーブル４４は、一端部において固定点３０．１に接続されているとともに、他端部においてフロアセクション１０上の固定点１２に接続されている。本実施形態において、細長張力支持部４０は、調節可能な支持体３０とともに、吊り橋と同様の構造を形成するものであり、プラットフォーム２０は、支持を必要とする橋のデッキである。細長張力支持部４０は、図１、図２、図５、図６、および部分的に図７に示されている。
【００２７】
細長張力支持部４０に張力をかける張力機構４１を有することが好ましい。この目的は、水平フレーム５における構造を、積載物４をプラットフォーム２０に降ろすことにより生じる曲げモーメントから解放することである。この張力機構４１は、想定可能な一実施形態において（図７参照）、雄ねじおよび２つの長手方向スリット３６を有するねじ切り加工された張力スリーブ４５と、張力ナット４６、張力ボルト４７と、を備えている。張力機構４１を動作させるためには、図７に示すように、張力ボルト４７が、ねじ切り加工された張力スリーブ４５の長手方向スリット３６を貫通して、内側部品３１の孔３７に挿入される。張力ボルト４７は、ねじ切り加工された張力スリーブ４５が螺合した張力ナット４６の下方の孔に挿入される。細長張力支持部４０に張力をかけるように、張力ナット４６を締めると、張力ナット４６が張力ボルト４７上にある状態で、ねじ切り加工された張力スリーブ４５が上方に移動する。ねじ切り加工された張力スリーブ４５は、張力支持スリーブ４２に当接することとなり、張力支持スリーブ４２は再度上昇して、細長張力支持部４０全体に増加した張力をかけることとなる。
【００２８】
張力機構４１の代替手段は、ワイヤ４３、４４のそれぞれに設けられたターンバックルを使用することである。
【００２９】
プラットフォーム２０に降ろされた積載物をデッキ２に移送するために、プラットフォーム２０およびフロアセクション１０にはローラ１１が設けられている。これにより、重い積載物を簡単にデッキ２上に引き込むことができる。フロアセクションのローラは、積載物４がフロアセクション１０上にあるときに、ハンドパレットトラックがそのフォークを積載物４の下方に摺動させ得るように構成されている。
【００３０】
装置１は、使用時に敏捷に移動可能でありかつ柔軟であるような構造を有している。好適な実施形態において、８０ｃｍより広い幅の部品がないため、装置１全体を分解した状態でユーロパレットに載せることができる。最長部品は２３０ｃｍであり、したがって最大長さは２４５ｃｍ以内である。ここで、２４５ｃｍは、ほとんどの運送会社で、貨物が２つ以上のユーロパレットのスペース代を支払わなければならなくなる前の限度である最大長さである。
【００３１】
また、装置は分解できるような構造を有しており、２５ｋｇを超える部品はない。これにより、作業者は部品を階上に運ぶことができる。このとき、装置１が使用されるべき建物のデッキ２またはフロアに装置１を配置するための複雑なクレーン操作は、必要ない。軽量で柔軟な構造は、細長張力支持部４０と調節可能な支持体３０とを備えた吊り橋設計により可能とされる。このような軽量の装置は、吊り橋設計なしには達成できないであろう。吊り橋設計がない場合、プラットフォームは、既存の解決策と同様に、プラットフォームを重い水平梁で支持しなければならないであろう。装置１は、プラットフォーム２０上で最大１５００ｋｇを支持可能であり、装置全体の重量は２５０ｋｇ未満である。
【００３２】
装置の設置を容易にするように、フロアセクション１０とプラットフォーム２０との間の接続部には、ヒンジおよびガスダンパ（図示せず）が設けられ得る。装置は、ヒンジ接続部においてプラットフォーム２０を上方に傾けた状態で、デッキ２の縁部から安全な距離を置いて組み立てられる。組立後に装置１をデッキ２と天井３との間に設置するときには、これを縁部まで摺動させ、調節可能な支持体３０の少なくとも２つを設置し、所定位置でジャッキにより押し上げて装置１をデッキ２に固定する。このようにした後、プラットフォーム２０が、その傾斜位置からその動作位置に押し下げられ得る。ガスダンパにより、プラットフォームはゆっくりと降下するとともに、作業完了時には、ガスダンパがほとんどの負荷を支えているため、プラットフォームが、最小の力で容易に元の位置に戻り、上方に傾いた位置に固定され得る。２つの調節可能な支持体３０がプラットフォーム２０に接続された場合、２つの調節可能な支持体３０は、設置作業者がデッキ２に安全に立ち止まった状態で、プラットフォーム２０を上下に傾けるレバーとして使用され得る。
【００３３】
ノルウェーの法規では、装置１は、昇降装置とも足場とも見なされないため、昇降装置や足場を規制する厳格な法規および認証制度の対象とはならない。装置１は、特別な認定を受けなくても、作業者が合法的に設置することができる。
【００３４】
一態様において、本考案は、建物のデッキ２であって、少なくとも部分的に天井３に覆われたデッキ２の外側に物資を降ろすためのラットフォームを設置するための装置１に関する。装置１は、
デッキ２の外側に延びるように構成されたプラットフォーム２０と、前記プラットフォーム２０に接続するフロアフレーム１０であって、建物のデッキ上に配置されるように適合されたフロアフレーム１０と、を備える水平フレーム５を備え、
装置１は、一端部において水平フレーム５に接続された１つ以上の調節可能な支持体３０をさらに備え、調節可能な支持体３０は、水平フレーム５から実質的に垂直に延びるとともに、長さが調節されることで天井に当接することによりフロアフレーム１０をデッキ２に押し付けるように構成されている。
【００３５】
さらに、装置１は、細長張力支持部４０を備え得る。細長張力支持部４０は、プラットフォーム２０上の固定点からフロアフレーム１０上の固定点に、１つ以上の調節可能な支持体３０のうちの、水平フレームの中央に最も近い１つに摺動可能に配置された張力支持スリーブ４２を介して張った状態で伸びている。
【００３６】
さらに、装置１は、細長張力支持部４０を備え得る。細長張力支持部４０は、
一端部においてプラットフォーム２０に接続するように構成された第１ケーブル４３と、
一端部においてフロアフレーム１０に接続するように構成された第２ケーブル４４と、
調節可能な支持体３０に摺動可能に配置されるように構成された張力支持スリーブ４２であって、第１ケーブル４３および第２ケーブル４４の第２の端部に接続するように構成された張力支持スリーブ４２と、
張力支持スリーブ４２を調節可能な支持体３０に沿って押し上げることにより、第１ケーブル４３および第２ケーブル４４を張った状態にするように構成された張力機構４１と、
を備える。
【００３７】
さらに、調節可能な支持体３０は、細長外側部品３２と細長内側部品３１とを備え得る。内側部品３１は、外側部品３２に対して伸縮自在に摺動して外側部品３２から出没するように構成されている。調節可能な支持体３０は、ジャッキ装置３４をさらに備えている。ジャッキ装置３４は、
少なくとも１つの長手方向スリット３０を有するねじ切り加工されたジャッキスリーブ３５であって、内側部品３１上を摺動可能であるように構成されたジャッキスリーブ３５と、
ジャッキスリーブ３６に螺合するように構成されたジャッキナット３８と、
長手方向スリット３６を貫通するとともに、内側部品３１の孔３７に挿入されるように構成されたジャッキボルト３９と、を備え、
ジャッキスリーブ３５は、外側部品３２に接するように構成されており、ジャッキナット３８がジャッキボルト３９を押すように締められたとき、調節可能な支持体３０を延長する。
【符号の説明】
【００３８】
１        （物資を降ろすためのプラットフォームを設置するための）装置
２        デッキ
３        天井
４        積載物
５        水平フレーム
１０      フロアセクション
１１      ローラ
１２      （フロアセクション上の細長張力支持部用の）固定点
２０      プラットフォーム／プラットフォームセクション
２１      （プラットフォームセクション上の細長張力支持部用の）固定点
３０      調節可能な支持体
３０．１  （調節可能な支持体上の細長張力支持部用の）固定点
３１      内側部品
３２      外側部品
３３      天井支持脚
３４      ジャッキ装置
３５      ねじ切り加工されたジャッキスリーブ
３６      長手方向スリット
３７      孔
３８      ジャッキナット
３９      ジャッキボルト
４０      細長張力支持部
４１      張力機構
４２      張力支持スリーブ
４３      第１ケーブル
４４      第２ケーブル
４５      ねじ切り加工された張力スリーブ
４６      張力ナット
４７      張力ボルト
Ｌ        矩形水平フレームの長辺／デッキの縁部に垂直なフロアセクションの長さ
【図１】
0003232967.tif 000003
【図２】
0003232967.tif 000004
【図３】
0003232967.tif 000005
【図４】
0003232967.tif 000006
【図５】
0003232967.tif 000007
【図６】
0003232967.tif 000008
【図７】
0003232967.tif 000009